(57)【要約】      （修正有）【課題】余水路の出口など特定領域への入場者に対する確実な退去警告の通知を簡便かつ低コストで実現可能とする。【解決手段】入場者が無い状況における撮影データを背景モデルテーブル１２５に格納する背景モデル格納部１１０と、撮影を行う撮像装置２０から撮影データを取得し作業用記憶領域１３０に格納する撮影データ取得部１１１と、撮影データと背景モデルとの差分を抽出し撮影データにおける差分に対応する画像領域を特定する入場者特定部１１２と、入場者画像の背景モデルにおける所定時間内での移動距離に応じた入場者の移動速度を算定する移動速度算定部１１３と、特定領域のサイズと入場者の移動速度とに基づいて入場者が退去するに要する退去時間を算定する退去時間算定部１１４と、退去時間が退去猶予時間を上回った場合に警告情報出力装置３０に対し退去警告情報を送信する警告出力部１１５とから警告通知システム１００を構成する。【選択図】図２
2007193612.tif 000002
【特許請求の範囲】
【請求項１】
水力発電所の余水路出口や各種施設の放水路出口といった各種水路出口などの特定領域における入場者への注意喚起を行うシステムであって、
前記特定領域について、入場者が無い状況における撮影データを背景モデルとして背景モデルテーブルに格納する、背景モデル格納部と、
前記特定領域の撮影を行う撮像装置から前記特定領域の撮影データを取得し、当該撮影データを作業用記憶領域に格納する、撮影データ取得部と、
前記撮影データを前記作業用記憶領域より読み出して、この撮影データと、前記背景モデルテーブルにおける前記背景モデルとの差分を抽出し、前記撮影データにおける前記差分に対応する画像領域を入場者画像として特定する、入場者特定部と、
前記入場者画像の前記背景モデルにおける所定時間内での移動距離に応じた、前記特定領域における前記入場者の移動速度を算定する、移動速度算定部と、
前記特定領域のサイズと前記入場者の移動速度とに基づいて、当該入場者が特定領域から退去するに要する退去時間を算定する、退去時間算定部と、
前記特定領域の水路出口に所定流速以上の出水が生じる場合に入場者に与えられる退去猶予時間と、前記退去時間とを比較し、前記退去時間が前記退去猶予時間を上回った場合、前記特定領域に設置された警告情報出力装置に対し、退去警告情報を送信する、警告出力部と、
を備える警告通知システム。
【請求項２】
請求項１において、
前記撮影データ取得部は、前記撮影データ取得から所定時間後に、前記撮像装置から前記特定領域の第２の撮影データを取得し、当該第２撮影データを作業用記憶領域に格納するものであり、
前記入場者特定部は、前記第２撮影データを前記作業用記憶領域より読み出して、この第２撮影データと、前記背景モデルテーブルにおける前記背景モデルとの差分を抽出し、前記第２撮影データにおける前記差分に対応する画像領域を入場者第２画像として特定するものであり、
前記移動速度算定部は、前記背景モデルにおける前記入場者画像と前記入場者第２画像との間の距離に応じた前記特定領域における入場者移動距離と、前記撮影データ取得から第２撮影データ取得までの経過時間とから、前記入場者の移動速度を算定するものであることを特徴とする警告通知システム。
【請求項３】
請求項１または２において、
前記撮影データ取得部は、前記警告出力部による前記警告情報出力装置に対しての退去警告情報の送信から所定時間後に、前記撮像装置から前記特定領域の第３の撮影データを取得し、当該第３撮影データを作業用記憶領域に格納するものであり、
前記入場者特定部は、前記第３撮影データを前記作業用記憶領域より読み出して、この第３撮影データと、前記背景モデルテーブルにおける前記背景モデルとの差分を抽出し、前記第３撮影データにおける前記差分に対応する画像領域を入場者第３画像として特定するものであり、
前記警告出力部は、前記入場者第３画像が特定された場合、前記特定領域に設置された警告情報出力装置に対し、再度の退去警告情報を送信するものであることを特徴とする警告通知システム。
【請求項４】
請求項１〜３のいずれかにおいて、
前記警告出力部は、前記退去警告情報の前記警告情報出力装置への送信情報を、前記特定領域の監視担当者の端末へネットワークを介して送信するものであることを特徴とする警告通知システム。
【請求項５】
請求項１〜４のいずれかにおいて、
前記入場者特定部は、入場者画像を特定するに際し、入場者画像として予め設定した画像サイズまたは画像輪郭の範囲内に、前記画像領域のサイズまたは輪郭が適合する場合にのみ、当該画像領域を入場者画像として特定するものであることを特徴とする、警告通知システム。
【請求項６】
請求項１〜５のいずれかにおいて、
前記特定領域たる余水路出口の上流における発電機の急停止に際し、当該急停止時点から、余水路出口に所定流速以上の出水が生じる時点までの間を、退去猶予時間として算定する猶予時間算定部を備える、警告通知システム。
【請求項７】
水力発電所の余水路出口や各種施設の放水路出口といった各種水路出口などの特定領域における入場者への注意喚起をコンピュータにより行う方法であって、前記コンピュータが、
前記特定領域について、入場者が無い状況における撮影データを背景モデルとして背景モデルテーブルに格納し、
前記特定領域の撮影を行う撮像装置から前記特定領域の撮影データを取得し、当該撮影データを作業用記憶領域に格納し、
前記撮影データを前記作業用記憶領域より読み出して、この撮影データと、前記背景モデルテーブルにおける前記背景モデルとの差分を抽出し、前記撮影データにおける前記差分に対応する画像領域を入場者画像として特定し、
前記入場者画像の前記背景モデルにおける所定時間内での移動距離に応じた、前記特定領域における前記入場者の移動速度を算定し、
前記特定領域のサイズと前記入場者の移動速度とに基づいて、当該入場者が特定領域から退去するに要する退去時間を算定し、
前記特定領域の水路出口に所定流速以上の出水が生じる場合に入場者に与えられる退去猶予時間と、前記退去時間とを比較し、前記退去時間が前記退去猶予時間を上回った場合、前記特定領域に設置された警告情報出力装置に対し、退去警告情報を送信することを特徴とする警告通知方法。
【請求項８】
水力発電所の余水路出口や各種施設の放水路出口といった各種水路出口などの特定領域における入場者への注意喚起方法をコンピュータに実行させるためのプログラムであって、
前記特定領域について、入場者が無い状況における撮影データを背景モデルとして背景モデルテーブルに格納するステップと、
前記特定領域の撮影を行う撮像装置から前記特定領域の撮影データを取得し、当該撮影データを作業用記憶領域に格納するステップと、
前記撮影データを前記作業用記憶領域より読み出して、この撮影データと、前記背景モデルテーブルにおける前記背景モデルとの差分を抽出し、前記撮影データにおける前記差分に対応する画像領域を入場者画像として特定するステップと、
前記入場者画像の前記背景モデルにおける所定時間内での移動距離に応じた、前記特定領域における前記入場者の移動速度を算定するステップと、
前記特定領域のサイズと前記入場者の移動速度とに基づいて、当該入場者が特定領域から退去するに要する退去時間を算定するステップと、
前記特定領域の水路出口に所定流速以上の出水が生じる場合に入場者に与えられる退去猶予時間と、前記退去時間とを比較し、前記退去時間が前記退去猶予時間を上回った場合、前記特定領域に設置された警告情報出力装置に対し、退去警告情報を送信するステップと、  を備える警告通知プログラム。
【発明の詳細な説明】
【技術分野】
【０００１】
本発明は、警告通知システム、警告通知方法、および警告通知プログラムに関するものである。
【背景技術】
【０００２】
外乱に対してロバスト性の高い画像認識を実現するといった目的の下、撮像装置より順次出力される画像を入力する画像入力部と、前記画像中に変化が生じた領域を検出する変化検出部と、前記変化が生じた領域の画素数を合計して面積を算出する面積算出部と、前記面積に生じるエラーを低減する面積補正部と、前記面積を過去一定期間平均して平均面積を算出する面積平均部と、前記平均面積を用いて認識対象の状態を判定する判定部と、前記判定部における判定の結果を出力する出力部を有する画像認識装置（特許文献１参照）などが提案されている。
【特許文献１】特開２０００−１６３６９７号公報
【発明の開示】
【発明が解決しようとする課題】
【０００３】
ところで、流れ込み式の水力発電所で落雷等により発電機が急停止（トリップ）した場合、水圧鉄管を発電機に向けて流下していた水は、水圧鉄管を逆流して水流の供給源たる山上の水槽に至り、そこで吸収されることとなる。しかし、前記水圧鉄管を逆流した水の一部や導水路からの流下水は、高速流となって余水路に流れ込み、この余水路から河川等に放流される場合があった。こうした不定期な高速流の放流が生じうる余水路の出口には、減勢工を施すなどして前記高速流の流れを弱める措置をこうじたり、或いは警報装置等を設置して入川者等への退去警告を行うといった措置を従来行っていた。
【０００４】
しかしながら、全ての余水路等の出口に減勢工を施すにはコスト的に困難な場合がある上、減勢工を施しても前記高速流の減勢効果が十分ではない場合もあった。一方、こうした状況を打破すべく警報装置の設置を行うとしても、入川者ではなく鳥や動物等に反応して警告を発してしまい過剰警告となって、警告効果自体が段々に薄れてしまうという問題があった。まして、単に立て札等による警告文の表示のみであれば、入川者の注意を確実に惹くことすら困難であった。また、発電機のトリップから余水路等の出口での高速流の放流に至る短時間を考慮して、入川者に退去警告を行うといった配慮も従来出来なかった。
【０００５】
そこで本発明は上記課題を鑑みてなされたものであり、余水路の出口など特定領域への入場者に対する確実な退去警告の通知を簡便かつ低コストで実現可能とする、警告通知システム、警告通知方法、および警告通知プログラムを提供することを主たる目的とする。
【課題を解決するための手段】
【０００６】
上記課題を解決する本発明の警告通知システムは、水力発電所の余水路出口や各種施設の放水路出口といった各種水路出口などの特定領域における入場者への注意喚起を行うシステムであって、前記特定領域について、入場者が無い状況における撮影データを背景モデルとして背景モデルテーブルに格納する、背景モデル格納部と、前記特定領域の撮影を行う撮像装置から前記特定領域の撮影データを取得し、当該撮影データを作業用記憶領域に格納する、撮影データ取得部と、前記撮影データを前記作業用記憶領域より読み出して、この撮影データと、前記背景モデルテーブルにおける前記背景モデルとの差分を抽出し、前記撮影データにおける前記差分に対応する画像領域を入場者画像として特定する、入場者特定部と、前記入場者画像の前記背景モデルにおける所定時間内での移動距離に応じた、前記特定領域における前記入場者の移動速度を算定する、移動速度算定部と、前記特定領域のサイズと前記入場者の移動速度とに基づいて、当該入場者が特定領域から退去するに要する退去時間を算定する、退去時間算定部と、前記特定領域の水路出口に所定流速以上の出水が生じる場合に入場者に与えられる退去猶予時間と、前記退去時間とを比較し、前記退去時間が前記退去猶予時間を上回った場合、前記特定領域に設置された警告情報出力装置に対し、退去警告情報を送信する、警告出力部と、を備える。
【０００７】
また、前記警告通知システムにおいて、前記撮影データ取得部は、前記撮影データ取得から所定時間後に、前記撮像装置から前記特定領域の第２の撮影データを取得し、当該第２撮影データを作業用記憶領域に格納するものであり、前記入場者特定部は、前記第２撮影データを前記作業用記憶領域より読み出して、この第２撮影データと、前記背景モデルテーブルにおける前記背景モデルとの差分を抽出し、前記第２撮影データにおける前記差分に対応する画像領域を入場者第２画像として特定するものであり、前記移動速度算定部は、前記背景モデルにおける前記入場者画像と前記入場者第２画像との間の距離に応じた前記特定領域における入場者移動距離と、前記撮影データ取得から第２撮影データ取得までの経過時間とから、前記入場者の移動速度を算定するものであるとすれば好適である。
【０００８】
また、前記警告通知システムにおいて、前記撮影データ取得部は、前記警告出力部による前記警告情報出力装置に対しての退去警告情報の送信から所定時間後に、前記撮像装置から前記特定領域の第３の撮影データを取得し、当該第３撮影データを作業用記憶領域に格納するものであり、前記入場者特定部は、前記第３撮影データを前記作業用記憶領域より読み出して、この第３撮影データと、前記背景モデルテーブルにおける前記背景モデルとの差分を抽出し、前記第３撮影データにおける前記差分に対応する画像領域を入場者第３画像として特定するものであり、前記警告出力部は、前記入場者第３画像が特定された場合、前記特定領域に設置された警告情報出力装置に対し、再度の退去警告情報を送信するものであるとすれば好適である。
【０００９】
また、前記警告通知システムにおいて、前記警告出力部は、前記退去警告情報の前記警告情報出力装置への送信情報を、前記特定領域の監視担当者の端末へネットワークを介して送信するものであるとすれば好適である。
【００１０】
また、前記警告通知システムにおいて、前記入場者特定部は、入場者画像を特定するに際し、入場者画像として予め設定した画像サイズまたは画像輪郭の範囲内に、前記画像領域のサイズまたは輪郭が適合する場合にのみ、当該画像領域を入場者画像として特定するものであるとすれば好適である。
【００１１】
また、前記警告通知システムは、前記特定領域たる余水路出口の上流における発電機の急停止に際し、当該急停止時点から、余水路出口に所定流速以上の出水が生じる時点までの間を、退去猶予時間として算定する猶予時間算定部を備える、とすれば好適である。
【００１２】
また、本発明の警告通知方法は、水力発電所の余水路出口や各種施設の放水路出口といった各種水路出口などの特定領域における入場者への注意喚起をコンピュータにより行う方法であって、前記コンピュータが、前記特定領域について、入場者が無い状況における撮影データを背景モデルとして背景モデルテーブルに格納し、前記特定領域の撮影を行う撮像装置から前記特定領域の撮影データを取得し、当該撮影データを作業用記憶領域に格納し、前記撮影データを前記作業用記憶領域より読み出して、この撮影データと、前記背景モデルテーブルにおける前記背景モデルとの差分を抽出し、前記撮影データにおける前記差分に対応する画像領域を入場者画像として特定し、前記入場者画像の前記背景モデルにおける所定時間内での移動距離に応じた、前記特定領域における前記入場者の移動速度を算定し、前記特定領域のサイズと前記入場者の移動速度とに基づいて、当該入場者が特定領域から退去するに要する退去時間を算定し、前記特定領域の水路出口に所定流速以上の出水が生じる場合に入場者に与えられる退去猶予時間と、前記退去時間とを比較し、前記退去時間が前記退去猶予時間を上回った場合、前記特定領域に設置された警告情報出力装置に対し、退去警告情報を送信することを特徴とする。
【００１３】
また、本発明の警告通知プログラムは、水力発電所の余水路出口や各種施設の放水路出口といった各種水路出口などの特定領域における入場者への注意喚起方法をコンピュータに実行させるためのプログラムであって、前記特定領域について、入場者が無い状況における撮影データを背景モデルとして背景モデルテーブルに格納するステップと、前記特定領域の撮影を行う撮像装置から前記特定領域の撮影データを取得し、当該撮影データを作業用記憶領域に格納するステップと、前記撮影データを前記作業用記憶領域より読み出して、この撮影データと、前記背景モデルテーブルにおける前記背景モデルとの差分を抽出し、前記撮影データにおける前記差分に対応する画像領域を入場者画像として特定するステップと、前記入場者画像の前記背景モデルにおける所定時間内での移動距離に応じた、前記特定領域における前記入場者の移動速度を算定するステップと、前記特定領域のサイズと前記入場者の移動速度とに基づいて、当該入場者が特定領域から退去するに要する退去時間を算定するステップと、前記特定領域の水路出口に所定流速以上の出水が生じる場合に入場者に与えられる退去猶予時間と、前記退去時間とを比較し、前記退去時間が前記退去猶予時間を上回った場合、前記特定領域に設置された警告情報出力装置に対し、退去警告情報を送信するステップと、を備える。
【００１４】
その他、本願が開示する課題、及びその解決方法は、発明の実施の形態の欄、及び図面により明らかにされる。
【発明の効果】
【００１５】
本発明によれば、余水路の出口など特定領域への入場者に対する確実な退去警告の通知を簡便かつ低コストで実現可能とできる。
【発明を実施するための最良の形態】
【００１６】
−−−システム構成−−−
以下に本発明の実施形態について図面を用いて詳細に説明する。図１は、本実施形態の警告通知システムの適用対象となる発電所設備例の概要を示す図である。本実施形態における警告通知システム１００は、水力発電所の余水路８７の出口や放水路８８の出口といった各種水路出口などの特定領域１０における入場者４０への注意喚起を行うシステムである。本実施形態における水力発電所については、例えば、山間からの水流を集める取水ダム８０に湛えられた発電用水を、取水口８１、沈砂池８２、および水路８３を介して水槽８４に導き入れて、これを水圧鉄管８５からケーシングと呼ばれる渦巻管等へ導くといった状況を想定する。この時、前記ケーシングから導かれた水は、前記発電機８６の水車に入ってこれに回転力を与え、発電機８６を回転させることで発電を生じさせる。この発電機８６を回転させた水は、放水路８８から河川等に放流される。また、落雷等による発電機８６の急停止（トリップ）が生じた場合には、水圧鉄管８５内の水が前記水槽８４に逆流し、その一部は余水路８７に流れ込み、河川等に放流される。警告通知システム１００は、こうした余水路８７の出口や放水路８８の出口等に生じる高速水流に関する警戒警報を、入川者等に無駄なく確実に通知する。
【００１７】
本実施形態における前記撮像装置２０および警告情報出力装置３０は、図１（破線で囲んだ拡大図参照）に示すように、例えば、前記余水路８等の出口対岸に設置されたポールに取付けられる状況を想定する。この時、前記撮像装置２０は、余水路８の出口に設定された特定領域１０（例：所定の幅と奥行きを定めている矩形領域）を前記ポール上から撮影し、その撮影データをネットワーク１４０を介して警告通知システム１００に送信する。また、警告通知システム１００が発した退去警告情報（例：音声メッセージや警告音など）は、ネットワーク１４０を介して警告情報出力装置（例：スピーカシステムや発光システムなど）３０が受信し、この警告情報出力装置３０により、特定領域１０に存在する入場者４０に向け、出力される。
【００１８】
次に、警告通知システム１００の構成について説明する。図２は、本実施形態における警告通知システムのネットワーク構成図である。前記警告通知システム１００は、本発明を実現する機能を備えるべくハードディスクドライブ１０１などに格納されたプログラムデータベースが含むプログラム１０２をメモリ１０３に読み出し、演算装置たるＣＰＵ１０４により実行する。
【００１９】
また、前記警告通知システム１００は、コンピュータ装置が一般に備えている各種キーボードやボタン類、ディスプレイなどの入出力インターフェイス１０５、ならびに、撮像装置２０、警告情報出力装置３０、および監視担当者の端末２００などの各種外部装置との間のデータ授受を担うＮＩＣ（Ｎｅｔｗｏｒｋ  Ｉｎｔｅｒｆａｃｅ  Ｃａｒｄ）１０６などを有している。
【００２０】
前記警告通知システム１００は、前記ＮＩＣ１０６により、撮像装置２０、警告情報出力装置３０、および監視担当者の端末２００などと例えばインターネットやＬＡＮ、シリアル・インターフェース通信線などのネットワーク１４０を介して接続し、データ授受を実行する。警告通知システム１００の各種機能部とＮＩＣ１０６との間ではＩ／Ｏ部１０７がデータのバッファリングや各種仲介処理を実行している。
【００２１】
続いて、前記警告通知システム１００が、例えばプログラム１０２に基づき構成・保持する機能部につき説明を行う。前記警告通知システム１００は、前記特定領域１０について、入場者４０が無い状況における撮影データを背景モデル５０として背景モデルテーブル１２５に格納する、背景モデル格納部１１０を備える。この背景モデル５０のデータは、前記特定領域１０において事前にデジタルカメラ等の適宜な撮像手段（撮像装置２０であってもよい）によって撮影された画像データを想定する。勿論、この撮影時に入場者４０は特定領域１０に存在しない。
【００２２】
また、前記警告通知システム１００は、前記特定領域１０の撮影を行う撮像装置２０から前記特定領域１０の撮影データ６０を取得し、当該撮影データ６０を作業用記憶領域１３０に格納する、撮影データ取得部１１１を備える。ここでの撮影データ６０は、例えば前記撮像装置２０が一定時間毎（例：毎秒など）に前記特定領域１０を撮影して得たデータであり、特定領域１０における入場者４０の有無は問わないものである。
【００２３】
また、前記警告通知システム１００は、前記撮影データ６０を前記作業用記憶領域１３０より読み出して、この撮影データ６０と、前記背景モデルテーブル１２５における前記背景モデル５０との差分を抽出し、前記撮影データ６０における前記差分に対応する画像領域を入場者画像７０として特定する、入場者特定部１１２を備える。こうした差分抽出の処理は、例えば従来より画像処理分野で提案されている背景差分法の考え方に基づいて実行するものとできる。この背景差分法の概要については後述する。
【００２４】
また、前記警告通知システム１００は、前記入場者画像７０の前記背景モデル５０における所定時間内での移動距離に応じた、前記特定領域１０における前記入場者４０の移動速度を算定する、移動速度算定部１１３を備える。この移動速度の算定処理は、例えば、時刻Ａでの撮影データ６０における入場者画像７０と、前記時刻Ａから所定時間経過後の時刻Ｂでの撮影データ６０における入場者画像７０のそれぞれについて、固定位置（例：重心位置など）を特定し、この固定位置間の画素数を移動距離としてカウントし、これを前記所定時間（時刻Ａ、Ｂの間）で除するといった処理が想定できる。この場合、移動距離としてカウントした画素数を、撮影データ６０のフレームサイズと撮影対象の実寸との対応関係に従って距離データに変換するものとする。
【００２５】
また、前記警告通知システム１００は、前記特定領域１０のサイズと前記入場者４０の移動速度とに基づいて、当該入場者４０が特定領域１０から退去するに要する退去時間を算定する、退去時間算定部１１４を備える。この処理は、例えば、特定領域１０が余水路８７の出口であったとして、その幅が２０ｍであれば、この２０ｍの領域から、移動速度２ｍ／秒の入場者４０が退去するに要する時間を、２０／２＝１０秒、と算定するのである。
【００２６】
また、前記警告通知システム１００は、前記特定領域１０の水路出口に所定流速以上の出水が生じる場合に入場者４０に与えられる退去猶予時間と、前記退去時間とを比較し、前記退去時間が前記退去猶予時間を上回った場合、前記特定領域１０に設置された警告情報出力装置３０に対し、退去警告情報を送信する、警告出力部１１５を備える。
【００２７】
なお、前記撮影データ取得部１１１は、前記撮影データ取得から所定時間後に、前記撮像装置２０から前記特定領域１０の第２の撮影データ６１を取得し、当該第２撮影データ６１を作業用記憶領域１３０に格納するものとしてもよい。この場合、前記入場者特定部１１２は、前記第２撮影データ６１を前記作業用記憶領域１３０より読み出して、この第２撮影データ６１と、前記背景モデルテーブル１２５における前記背景モデル５０との差分を抽出し、前記第２撮影データ６１における前記差分に対応する画像領域を入場者第２画像７１として特定するものとなる、また、前記移動速度算定部１１３は、前記背景モデル５０における前記入場者画像７０と前記入場者第２画像７１との間の距離に応じた前記特定領域１０における入場者移動距離と、前記撮影データ取得から第２撮影データ取得までの経過時間とから、前記入場者４０の移動速度を算定するものとなる。
【００２８】
また、前記撮影データ取得部１１１は、前記警告出力部１１５による前記警告情報出力装置３０に対しての退去警告情報の送信から所定時間後に、前記撮像装置２０から前記特定領域１０の第３の撮影データ６２を取得し、当該第３撮影データ６２を作業用記憶領域１３０に格納するものとしてもよい。この場合、前記入場者特定部１１２は、前記第３撮影データ６２を前記作業用記憶領域１３０より読み出して、この第３撮影データ６２と、前記背景モデルテーブル１２５における前記背景モデル５０との差分を抽出し、前記第３撮影データ６２における前記差分に対応する画像領域を入場者第３画像７２として特定するものとなる。また、前記警告出力部１１５は、前記入場者第３画像７２が特定された場合、前記特定領域１０に設置された警告情報出力装置３０に対し、再度の退去警告情報を送信するものとなる。
【００２９】
また、前記警告出力部１１５は、前記退去警告情報の前記警告情報出力装置３０への送信情報を、前記特定領域１０の監視担当者の端末２００へネットワーク１４０を介して送信するものとすれば好適である。このような処理を行うことで、警告情報出力装置３０へ退去警告情報が送信されている事実を、例えば発電所や河川の監視担当者等が迅速に把握することが可能となる。例えば、上述の再度の退去警告情報の送信がなされたことを監視担当者が知れば、これを契機に当該監視担当者は現地に急行して、入場者４０への直接の退去警告や避難誘導等を迅速に実行できる。
【００３０】
なお、前記監視担当者の端末２００としては、例えば、前記警告通知システム１００とネットワーク１４０で結ばれた有人監視所システム２２０（監視担当者が操作し、ディスプレイ装置等で前記送信情報を閲覧可能）や、監視担当者が携行する携帯端末２３０などを想定できる（図１参照）。また、監視担当者の端末２００の構成としては、前記警告通知システム１００とのデータ授受を行ってその情報を出力する機能を備えるべく、不揮発性メモリやハードディスクドライブ２０１などに格納されたプログラムデータベースが含むプログラム２０２をメモリ２０３に読み出し、演算装置たるＣＰＵ２０４により実行するものを想定できる。また、前記監視担当者の端末２００は、コンピュータ装置が一般に備えている各種キーボードやボタン類、ディスプレイなどの入出力インターフェイス２０５、ならびに、前記有人監視所システムなどの各種外部装置との間のデータ授受を担うＮＩＣ（Ｎｅｔｗｏｒｋ  Ｉｎｔｅｒｆａｃｅ  Ｃａｒｄ）２０６などを有している。
【００３１】
前記監視担当者の端末２００は、前記ＮＩＣ２０６により、前記有人監視所システムなどと例えばインターネットやＬＡＮ、シリアル・インターフェース通信線などのネットワーク１４０を介して接続し、データ授受を実行する。監視担当者の端末２００の各種機能部とＮＩＣ２０６との間ではＩ／Ｏ部２０７がデータのバッファリングや各種仲介処理を実行している。
【００３２】
ここで、警告通知システム１００の機能構成についての説明に戻る。前記警告通知システム１００における、前記入場者特定部１１２は、入場者画像７０、７１、７２を特定するに際し、入場者画像７０、７１、７２として予め設定した画像サイズまたは画像輪郭の範囲内に、前記画像領域のサイズまたは輪郭が適合する場合にのみ、当該画像領域を入場者画像７０、７１、７２として特定するものであるとすれば好適である。この場合、例えば、「人」や「ボート」といった余水路８７等の周辺に出入りする可能性がある対象の平均的なサイズ（例えば、人間：１２０〜１８０ｃｍ、ボート：１．５ｍ〜２ｍなど）に対応した画像サイズ（例えば、人間：縦横１００画素、ボート：縦横１３０画素）を予め定めておき、警告通知システム１００が備える適宜な記憶装置に格納しておく。また、「人」や「ボート」といった余水路８７等の周辺に出入りする可能性がある対象の平均的な輪郭（例えば、人間：縦長で縦横比が４：１、ボート：横長で縦横比が１：５など）に対応した画像輪郭を予め定めておき、警告通知システム１００が備える適宜な記憶装置に格納しておく。
【００３３】
また、前記警告通知システム１００は、前記特定領域１０たる余水路出口の上流における発電機８６の急停止に際し、当該急停止時点から、余水路出口に所定流速以上の出水が生じる時点までの間を、退去猶予時間として算定する猶予時間算定部１１６を備えるとすれば好適である。この退去猶予時間の算定処理は後述する。
【００３４】
なお、これまで示した  警告通知システム１００における各機能部１１０〜１１６は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現するとしてもよい。この場合、前記各ＣＰＵ１０４がプログラム実行に合わせて記憶装置より該当プログラムを各メモリ１０３に読み出して、これを実行することとなる。
【００３５】
また、前記ネットワーク１４０に関しては、インターネット、ＬＡＮの他、ＡＴＭ回線や専用回線、ＷＡＮ（Ｗｉｄｅ  Ａｒｅａ  Ｎｅｔｗｏｒｋ）、電灯線ネットワーク、無線ネットワーク、公衆回線網、携帯電話網、シリアル・インターフェース通信線など様々なネットワークを採用することも出来る。また、ＶＰＮ（Ｖｉｒｔｕａｌ  Ｐｒｉｖａｔｅ  Ｎｅｔｗｏｒｋ）など仮想専用ネットワーク技術を用いれば、インターネットを採用した際にセキュリティ性を高めた通信が確立され好適である。なお、前記シリアル・インターフェイスは、単一の信号線を用いて１ビットずつ順次データを送るシリアル伝送で、外部機器と接続するためのインターフェースを指し、通信方式としてはＲＳ−２３２Ｃ、ＲＳ−４２２、ＩｒＤＡ、ＵＳＢ、ＩＥＥＥ１３９４、ファイバ・チャネルなどが想定できる。
【００３６】
−−−テーブル構造−−−
次に、本実施形態における警告通知システム１００が用いるテーブルの構造について説明する。図３は本実施形態における、背景モデルテーブル１２５のデータ構造例を示す図である。前記背景モデルテーブル１２５は、前記特定領域１０について、入場者４０が無い状況における撮影データを背景モデル５０として格納するテーブルである。この背景モデル５０のデータは、前記特定領域１０において事前にデジタルカメラ等の適宜な撮像手段（撮像装置２０であってもよい）によって撮影された画像データを想定する。勿論、この撮影時に入場者４０は特定領域１０に存在しない。前記背景モデルテーブル１２５は、例えば、特定領域１０のＩＤをキーとして、撮影時間帯（例：早朝、午前中、午後、など）、撮影天候条件（例：晴天、曇天、雨天、など）、背景モデルファイルといった情報を関連づけたレコードを集約した構造となっている。
【００３７】
−−−背景差分法の考え方について−−−
本実施形態において、前記背景モデル５０から入場者画像７０を特定する際には、背景差分法の技術を採用できる。この背景差分法は、画像データ中から動領域を抽出するための手法として広く採用される技術であり、予め用意しておいた背景画像と現時点での撮影画像との差分を取ることにより、動領域、つまり入場者画像７０を抽出する方法である。こうした背景差分の考え方は、ターゲットである入場者に関する事前知識を必要とせず、背景モデル以外の人間やボートといった任意の対象を簡便に検出可能とする。
【００３８】
一方、屋外においては日照や天候の条件が時間変化することにより、基準となるべき背景モデルも変化することが想定される。そのため、上記背景モデルテーブル１２５の説明で示したように、特定領域１０毎の、例えば時刻や天候毎の背景モデルを予め用意しておくことで、各時刻や天候に応じた背景モデル５０と、現時点での撮影データ６０とを比較してその差分から入場者画像７０を特定するものとすれば好適である。このように背景差分法を補完する各種技術を更に適用することで、入場者４０の有無の判断や警告通知の実効性がより高まると言える。なお、こうした補完技術としては、赤外線センサーによる生体反応判定の技術や、人間の肌や髪の毛の存在をその色彩から特定する色認識技術などを想定してもよい。
【００３９】
−−−処理フロー例−−−
以下、本実施形態における警告通知方法の実際手順について、図に基づき説明する。なお、以下で説明する警告通知方法に対応する各種動作は、前記警告通知システム１００のメモリに読み出して実行するプログラムによって実現される。そして、このプログラムは、以下に説明される各種の動作を行うためのコードから構成されている。図４は、本実施形態における警告通知方法の処理フロー例を示す図である。また、図５は本実施形態における背景差分の考え方を示す図である。
【００４０】
まず、特定領域１０の撮影を行うデジタルカメラなどの撮像装置２０が、予め、前記背景モデル５０の撮影を行っているものとする（ｓ１０００）。この時、勿論、この撮影時に入場者４０は特定領域１０に存在しない。イメージとしては、図５に示す背景モデル５０のように、例えば余水路８７の出口の構造と、その全面に広がる川面とが含まれる画像を想定できる。この例で言えば、前記余水路８７の出口から川面に至る領域が前記特定領域１０となる。そして、前記撮像装置２０は、前記背景モデル５０のデータを、前記ネットワーク１４０を介して警告通知システム１００に送信することとなる（ｓ１００１）。
【００４１】
一方、前記警告通知システム１００の背景モデル格納部１１０は、前記特定領域１０について、入場者４０が無い状況における撮影データを背景モデル５０として背景モデルテーブル１２５に格納する。この背景モデル５０のデータは、前記特定領域１０において事前にデジタルカメラ等の適宜な撮像手段（撮像装置２０であってもよい）によって撮影された画像データを想定する。また、前記警告通知システム１００の撮影データ取得部１１１は、前記撮像装置２０から背景モデル５０のデータを受信してこれを取得し、背景モデルテーブル１２５に格納する（ｓ１００２）。こうして背景モデルテーブル１２５が形成されていく。
【００４２】
他方、前記撮像装置２０は、余水路８７の出口等の撮影を例えば毎秒毎に行って（ｓ１００３）、その撮影データ６０を警告通知システム１００側に送信している（ｓ１００４）。この時、警告通知システム１００の前記撮影データ取得部１１１は、特定領域１０の撮影データ６０を取得し、当該撮影データ６０を作業用記憶領域１３０に格納する（ｓ１００５）。ここでの撮影データ６０は、例えば前記撮像装置２０が一定時間毎（例：毎秒など）に前記特定領域１０を撮影して得たデータであり、特定領域１０における入場者４０の有無は問わないものである。
【００４３】
また、前記警告通知システム１００の入場者特定部１１２は、前記撮影データ６０を前記作業用記憶領域１３０より読み出して、この撮影データ６０と、前記背景モデルテーブル１２５における前記背景モデル５０との差分を抽出する（ｓ１００６）。この時、前記入場者特定部１１２は、例えば図５に示すように、背景モデル５０の画像データと、撮影データ６０に対応する画像データとについて、それぞれ同じ座標位置における画素を比較し、色彩の相違等を認識する。図５の例では、例えば画像左上隅部をｘｙ座標原点とし、ｘ座標：０〜ａ、ｙ座標：０〜ｂ、の範囲で座標系が展開していると想定している。よって各画素の中心位置は、前記（０，０）〜（ａ，ｂ）の範囲のいずれかの座標値に対応する。図５の例で、例えば背景モデル５０の座標（ｃ、ｄ）に対応する画素群は、河川の水面の色彩である例えば青色のみであったとする。一方、撮影データ６０の同座標（ｃ、ｄ）に対応する画素群は、入場者４０の服装の色彩である白色と黒色のストライプであったとすれば、この座標（ｃ、ｄ）には背景モデル５０から差分が生じているとわかる。こうした処理を撮影データ６０の全座標に対応する画素について実行することで、背景モデル５０との差分としての特定の画像領域を判定できる。
【００４４】
ここで判定できた画像領域が入場者画像７０となる訳であるが、前記入場者特定部１１２は、この入場者画像７０を特定するに際し、入場者画像７０として予め設定した画像サイズまたは画像輪郭の範囲内に、前記画像領域のサイズまたは輪郭が適合するか判定する（ｓ１００７）。つまり、このように予め設定したサイズまたは輪郭に前記画像領域が適合する場合にのみ、当該画像領域を入場者画像７０として特定するのである。
【００４５】
この場合、例えば、「人」や「ボート」といった余水路８７等の周辺に出入りする可能性がある対象の平均的なサイズ（例えば、人間：身長１２０〜１８０ｃｍで身幅５０ｃｍ程度、ボート：長さ１．５ｍ〜２ｍで高さ５０ｃｍ程度、など）に対応した画像サイズ（例えば、人間：縦横１００画素、ボート：縦横１３０画素）を予め定めておき、警告通知システム１００が備える適宜な記憶装置に格納しておく。また、「人」や「ボート」といった余水路８７等の周辺に出入りする可能性がある対象の平均的な輪郭（例えば、人間：縦長で縦横比が４：１、ボート：横長で縦横比が１：５など）に対応した画像輪郭を予め定めておき、警告通知システム１００が備える適宜な記憶装置に格納しておく。
【００４６】
前記判定により、前記画像領域が予め設定したサイズまたは輪郭に適合せず、その範囲内でなかった場合（ｓ１００７：ＮＯ）、前記入場者特定部１１２は処理を前記ステップｓ１００５に戻す。つまり、背景モデル５０との差異はあったものの、撮影データ６０に含まれていたのは人物等ではないとシステム側で判断したのである。
【００４７】
他方、前記判定により、前記画像領域が予め設定したサイズまたは輪郭に適合し、その範囲内であった場合（ｓ１００７：ＹＥＳ）、前記入場者特定部１１２は、前記撮影データ６０における前記差分に対応する画像領域を入場者画像７０として特定する（ｓ１００８）。
【００４８】
そして次に、前記撮影データ取得部１１１は、前記撮影データ６０の取得から所定時間後（ｓ１００９：ＹＥＳ）、前記撮像装置２０から前記特定領域１０の第２の撮影データ６１を取得し、当該第２撮影データ６１を作業用記憶領域１３０に格納する（ｓ１０１０）。その後、上記同様に前記入場者特定部１１２は、前記第２撮影データ６１を前記作業用記憶領域１３０より読み出して、この第２撮影データ６１と、前記背景モデルテーブル１２５における前記背景モデル５０との差分を抽出する（ｓ１０１１）。システム１００は、背景モデル５０と第２撮影データ６１との差分として判定した特定の画像領域を、入場者第２画像７１とする訳であるが、前記入場者特定部１１２は、この入場者第２画像７１を特定するに際し、入場者第２画像７１として予め設定した画像サイズまたは画像輪郭の範囲内に、前記画像領域のサイズまたは輪郭が適合するか判定する（ｓ１０１２）。つまり、このように予め設定したサイズまたは輪郭に前記画像領域が適合する場合にのみ、当該画像領域を入場者第２画像７１として特定するのである。
【００４９】
前記判定により、前記画像領域が予め設定したサイズまたは輪郭に適合せず、その範囲内でなかった場合（ｓ１０１２：ＮＯ）、前記入場者特定部１１２は処理を前記ステップｓ１０１０に戻す。つまり、背景モデル５０との差異はあったものの、第２撮影データ６１に含まれていたのは人物等ではないとシステム側で判断したのである。
【００５０】
他方、前記判定により、前記画像領域が予め設定したサイズまたは輪郭に適合し、その範囲内であった場合（ｓ１０１２：ＹＥＳ）、前記入場者特定部１１２は、前記第２撮影データ６１における前記差分に対応する画像領域を入場者第２画像７１として特定する（ｓ１０１３）。
【００５１】
次に、前記警告通知システム１００の移動速度算定部１１３は、前記入場者画像７０の前記背景モデル５０における所定時間内での移動距離に応じた、前記特定領域１０における前記入場者４０の移動速度を算定する（ｓ１０１４）。この移動速度の算定処理は、例えば、時刻Ａでの撮影データ６０における入場者画像７０と、前記時刻Ａから所定時間経過後の時刻Ｂでの第２撮影データ６１における入場者第２画像７１のそれぞれについて、固定位置（例：重心位置Ｇなど）を特定し、この固定位置間の画素数を移動距離としてカウントし、これを前記所定時間（時刻Ａ、Ｂの間）で除するといった処理が想定できる（図５参照）。図５の例では、入場者画像７０の重心位置Ｇの座標（ｃ，ｄ）から入場者第２画像７１の重心位置Ｇの座標（ｍ，ｎ）の間の距離を算定し、これに例えば前記ｘｙ座標系と実際の特定領域１０の寸法との変換係数（例：座標間距離１＝１０ｃｍなど）を乗じれば、前記入場者４０の移動距離になる。つまり、移動距離としてカウントした画素数を、撮影データ６０のフレームサイズと撮影対象の実寸との対応関係に従って距離データに変換する。
【００５２】
続いて、前記警告通知システム１００の退去時間算定部１１４は、前記特定領域１０のサイズと前記入場者４０の移動速度とに基づいて、当該入場者４０が特定領域１０から退去するに要する退去時間を算定する（ｓ１０１５）。この処理は、例えば、特定領域１０が余水路８７の出口であったとして、その幅が２０ｍであれば、この２０ｍの領域から、移動速度２ｍ／秒の入場者４０が退去するに要する時間を、２０／２＝１０秒、と算定するのである。
【００５３】
また、前記警告通知システム１００の猶予時間算定部１１６は、前記特定領域１０たる余水路出口の上流における発電機８６の急停止に際し、当該急停止時点から、余水路出口に所定流速以上の出水が生じる時点までの間を、退去猶予時間Ｔとして算定する（ｓ１０１６）。この場合、退去猶予時間Ｔは、「Ｔ＝ｆ（Ｑ）×Ｌ×Δｈ／ｉ」なる式で算定できる。ここで、Ｑ：使用水量（ｍ３／ｓ）、Ｌ：余水路長さ（ｍ）、Δｈ：水槽越流天端高−トリップ時水面高（ｍ）、ｉ：余水路平均勾配である。
【００５４】
こうして退去猶予時間を算定した警告通知システム１００は、警告出力部１１５において、前記退去猶予時間と前記退去時間とを比較する（ｓ１０１７）。その比較にて、前記退去時間が前記退去猶予時間を上回った場合（ｓ１０１７：ＹＥＳ）、前記特定領域１０に設置された警告情報出力装置３０に対し、退去警告情報を送信する（ｓ１０１８）。警告情報出力装置３０ではこれを受信し、例えばスピーカや警告ランプ、ディスプレイ等から出力する（ｓ１０１９）。これにより前記入場者４０は自身の置かれた状況を認識することとなる。
【００５５】
また、前記撮影データ取得部１１１は、前記警告出力部１１５による前記警告情報出力装置３０に対しての退去警告情報の送信から所定時間後に（ｓ１０２０：ＹＥＳ）、前記撮像装置２０から前記特定領域１０の第３の撮影データ６２を取得し、当該第３撮影データ６２を作業用記憶領域１３０に格納する（ｓ１０２１）。この場合、前記入場者特定部１１２は、前記第３撮影データ６２を前記作業用記憶領域１３０より読み出して、この第３撮影データ６２と、前記背景モデルテーブル１２５における前記背景モデル５０との差分を抽出し、前記第３撮影データ６２における前記差分に対応する画像領域を特定する（ｓ１０２２）。また前記入場者画像７０や入場者第２画像７１の処理と同様に、システム１００は、背景モデル５０と第３撮影データ６２との差分として判定した特定の画像領域を、入場者第３画像７２とする訳であるが、前記入場者特定部１１２は、この入場者第３画像７２を特定するに際し、入場者第３画像７２として予め設定した画像サイズまたは画像輪郭の範囲内に、前記画像領域のサイズまたは輪郭が適合するか判定する（ｓ１０２３）。つまり、このように予め設定したサイズまたは輪郭に前記画像領域が適合する場合にのみ、当該画像領域を入場者第３画像７２として特定するのである。
【００５６】
前記判定により、前記画像領域が予め設定したサイズまたは輪郭に適合せず、その範囲内でなかった場合（ｓ１０２３：ＮＯ）、前記入場者特定部１１２は処理を終了する。つまり、背景モデル５０との差異はあったものの、第３撮影データ６２に含まれていたのは人物等ではなく、前記退去警告に応じて前記入場者４０が特定領域１０から退去したとシステム側で判断したのである。
【００５７】
他方、前記判定により、前記画像領域が予め設定したサイズまたは輪郭に適合し、その範囲内であった場合（ｓ１０２３：ＹＥＳ）、前記入場者特定部１１２は、前記第３撮影データ６２における前記差分に対応する画像領域を入場者第３画像７２として特定する（ｓ１０２４）。こうして、前記警告出力部１１５は、前記入場者第３画像７２が特定された場合（ｓ１０２５：ＹＥＳ）、前記特定領域１０に設置された警告情報出力装置３０に対し、再度の退去警告情報を送信するものとなる（ｓ１０２６）。警告情報出力装置３０ではこれを受信し、例えばスピーカや警告ランプ、ディスプレイ等から出力する（ｓ１０２７）。これにより前記入場者４０は自身の置かれた差し迫った状況を認識することとなる。
【００５８】
また一方で、前記警告出力部１１５は、前記退去警告情報の前記警告情報出力装置３０への送信情報を、前記特定領域１０の監視担当者の端末２００へネットワーク１４０を介して送信するものとすれば好適である（ｓ１０２８）。この場合、前記監視担当者の端末２００は、前記送信情報を受信して出力インターフェイスに出力する（ｓ１０２９）。このような処理を行うことで、警告情報出力装置３０へ退去警告情報が送信されている事実を、例えば発電所や河川の監視担当者等が迅速に把握することが可能となる。例えば、上述の再度の退去警告情報の送信がなされたことを監視担当者が知れば、これを契機に当該監視担当者は現地に急行して、入場者４０への直接の退去警告や避難誘導等を迅速に実行できる。
【００５９】
本発明によれば、余水路の出口など特定領域への入場者に対する確実な退去警告の通知を簡便かつ低コストで実現可能とできる。
【００６０】
以上、本発明の実施の形態について、その実施の形態に基づき具体的に説明したが、これに限定されるものではなく、その要旨を逸脱しない範囲で種々変更可能である。
【図面の簡単な説明】
【００６１】
【図１】本実施形態の警告通知システムの適用対象となる発電所設備例の概要を示す図である。
【図２】本実施形態における警告通知システムのネットワーク構成図である。
【図３】本実施形態における、背景モデルテーブルのデータ構造例を示す図である。
【図４】本実施形態における警告通知方法の処理フロー例を示す図である。
【図５】本実施形態における背景差分の考え方を示す図である。
【符号の説明】
【００６２】
１０  特定領域                            ２０  撮像装置
３０  警告情報出力装置                    ４０  入場者
５０  背景モデル                          ６０  撮影データ
７０  入場者画像                          ８０  取水ダム
８１  取水口                              ８２  沈砂池
８３  水路                                ８４  水槽
８５  水圧鉄管                            ８６  発電機
８７  余水路                              ８８  放水路
１００  警告通知システム                  １０１  ＨＤＤ(Hard Disk Drive)
１０２  プログラム                        １０３  メモリ
１０４  ＣＰＵ(Central Processing Unit)   １０５  入出力インターフェイス
１０６  通信部                            １０７  Ｉ／Ｏ部
１１０  背景モデル格納部                  １１１  撮影データ取得部
１１２  入場者特定部                      １１３  移動速度算定部
１１４  退去時間算定部                    １１５  警告出力部
１１６  猶予時間算定部                    １２５  背景モデルテーブル
１３０  作業用記憶領域                    １４０  ネットワーク
２００  監視担当者の端末
【図３】
2007193612.tif 000003
【図４】
2007193612.tif 000004
【図１】
2007193612.tif 000005
【図２】
2007193612.tif 000006
【図５】
2007193612.tif 000007